(57)【要約】      （修正有）【課題】引力は磁気の光子が作ることを証明する。【解決手段】ボーア磁子から、電子のラブが1秒間に作る磁気の光子のエネルギーを計算する。1束の磁気の光子数は7.96×107個であるので、電子のラブが1秒間に作る磁気の光子のエネルギーは9.274×10-24J/T÷（7.96×107個）＝1.165×10-31J、である。特願2005-92703で計算した万有引力の電子のラブが1秒間に作るエネルギーは、8.16×10−６J÷（5×1025個）＝1.63×10−31Jで、ほぼ同じエネルギーである。これはアボガドロ数で計算したからである。ボーア磁子から計算した物の方が正確である。万有引力定数は6.672×10−11N・m/Kg2＝6.672×10−11J/Kg2＝（8.168×10−６J）2 J/Kg2。1000ｇの原子数は、電子数＝8.168×10−６J÷（1.165×10-31J）＝7.011×1025（個）、である。【選択図】図２
2019187162.tif 000002
【特許請求の範囲】
【請求項１】
ボーア磁子と引力
ボーア磁子は9.274×10-24J/Tです。
ボーア磁子の1束の磁気の光子は電子のラブが1公転で作る磁気の光子で、7.96×107個の磁気の光子です。
ボーア磁子は電子のラブが1秒間に作る磁気の光子の軌道エネルギー×電子のラブが1公転で作る磁気の光子の数、です。
万有引力定数は、6.672×10−11N・m/Kg2です。
万有引力定数は、6.672×10−11J/Kg2です。
万有引力定数は、１Kgの物質が1秒間に作る磁気の光子のエネルギーです。
私は、特願2005−92703に次のように記した。
（万有引力定数は6.672×10−11N・mm/Kg2ですから、1000ｇでできる万有引力は（6.672×10−11）1/2J＝8.16×10−６Jです。1000ｇには、1000÷12×6.022×1023個＝5×1025個の電子があります。（これは、アボガドロ数で算出した。）
1個の電子でできる万有引力は、8.16×10−６J÷（5×1025個）＝1.63×10−31Jです。）
それで、万有引力定数から計算した電子のラブが1秒間に作る磁気の光子のエネルギーは1.63×10−31Jです。
万有引力定数は6.672×10−11N・mm/Kg2です。と記したが、これは間違いです。
万有引力定数は6.672×10−11N・m/Kg2＝6.672×10−11J/Kg2です。
【請求項２】
ボーア磁子から計算した電子のラブが1秒間に作る磁気の光子のエネルギーはいくらか。
ボーア磁子の1束の磁気の光子は電子のラブが1公転で作る磁気の光子で、7.96×107個の磁気の光子です。
ボーア磁子は電子のラブが1秒間に作る磁気の光子のエネルギー×電子のラブが1公転で作る磁気の光子の数、です。
ボーア磁子＝9.274×10-24J/T＝電子のラブが1秒間に作る磁気の光子のエネルギー×電子のラブが1公転で作る磁気の光子の数＝電子のラブが1秒間に作る磁気の光子のエネルギー×7.96×107個
電子のラブが1秒間に作る磁気の光子のエネルギー＝9.274×10-24J/T÷（7.96×107個）＝1.165×10-31J
それで、電子のラブが1秒間に作る磁気の光子のエネルギーは1.165×10-31Jです。
ボーア磁子から計算した電子のラブが1秒間に作る磁気の光子のエネルギーは1.165×10-31Jです。
【請求項３】
ボーア磁子から計算した電子のラブが1秒間に作る磁気の光子のエネルギーは1.165×10-31Jです。万有引力定数から計算した電子のラブが1秒間に作る磁気の光子のエネルギーは1.63×10−31Jです。はたしてどちらが正確であるか。
万有引力定数から計算した電子のラブが1秒間に作る磁気の光子のエネルギーは1.63×10−31Jです。これは、1000ｇには、アボガドロ数で計算すると、1000÷12×6.022×1023個＝5×1025個の電子があります。5×1025個の電子のラブが作る万有引力は（6.672×10−11）1/2J＝8.16×10−６Jです。それで、1個の電子のラブが作る万有引力は8.16×10−６J÷（5×1025個）＝1.63×10−31J、です。このように、5×1025個の電子のラブが作る万有引力から1個の電子のラブが1秒間に作る磁気の光子のエネルギーを求めている。
それに対し、ボーア磁子から計算した電子のラブが1秒間に作る磁気の光子のエネルギーは1.165×10-31Jです。これは、1個の電子のラブが作るボーア磁子から1個の電子のラブが1秒間に作る磁気の光子のエネルギーを求めている。
それで、ボーア磁子から計算した電子のラブが1秒間に作る磁気の光子のエネルギーの方が正確です。
【請求項４】
ボーア磁子から計算した電子のラブが1秒間に作る磁気の光子のエネルギーは1.165×10-31Jです。これによって、1電子が１秒間に作る万有引力は1.165×10-31Jです。万有引力定数は、6.672×10−11N・m/Kg2です。１Kｇの中には何個の原子が存在するか。
１Kｇの物質が1秒間に作る磁気の光子のエネルギーは、（6.672×10−11）1/2J＝8.168×10−６Jです。1電子が１秒間に作る万有引力は1.165×10-31Jです。
それで、1電子が１秒間に作る万有引力×電子数＝1.165×10-31J×電子数＝ 8.168×10−６J
電子数＝ 8.168×10−６J÷（1.165×10-31J）＝7.011×1025（個）
１Kｇの中には7.011×1025個の電子が存在する。１Kｇの中には7.011×1025個の原子が存在する。
【請求項５】
万有引力定数は、6.672×10−11N・m/Kg2です。万有引力定数はどのように説明できるか。
万有引力定数は、6.672×10−11N・m/Kg2です。これは１Kgの物質と１Kgの物質の間にできる引力です。１Kgの物質の中には7.011×1025個の原子が存在する。1電子のラブが1秒間に作る磁気の光子のエネルギーは1.165×10-31Jですから、１Kgの物質が1秒間に作る磁気の光子のエネルギーは、7.011×1025個×1.165×10-31J＝8.168×10-6J、です。１Kgの物質と１Kgの物質の間にできる引力は、（8.168×10-6）2J/Kg2＝6.672×10−11N・m/Kg2です。
この事を表に示す。
表４
2019187162.tif 000006
表５
2019187162.tif 000007
この表により理解できる事。
1．万有引力を作っているのは、ボーア磁子を作っている磁気の光子のエネルギーである事が理解できる。
1．電子のラブが1秒間に作る磁気の光子のエネルギー1.165×10-31Jがボーア磁子を作り、万有引力を作っている。
1．１Kｇの中の原子数は7.011×1025個です。
【請求項６】
核磁子は5.501×10-27J/Tです。
核磁子は陽子のラブが1秒間に作る磁気の光子のエネルギーで、1束に4.34×104個の磁気の光子が存在する。
それで、陽子のラブが1秒間に作る磁気の光子のエネルギーは、5.501×10-27J/T÷（4.34×104個）＝1.268×10-31Jです。
この事を表に示す。
表６
2019187162.tif 000008
【発明の詳細な説明】
【技術分野】
【０００１】
本発明は、引力は磁気の光子が作る事の証明と1000gの原子数に関する物である。
【背景技術】
【０００２】
私は、特願2005−92703に次のように記した。
（万有引力定数は6.672×10−11N・mm/Kg2ですから、1000ｇでできる万有引力は（6.672×10−11）1/2J＝8.16×10−６Jです。1000ｇには、1000÷12×6.022×1023個＝5×1025個の電子があります。（これは、アボガドロ数で算出した。）
1個の電子でできる万有引力は、8.16×10−６J÷（5×1025個）＝1.63×10−31Jです。）
【先行技術文献】
【特許文献】
【０００３】
【特許文献１】特願2005−92703
【発明の概要】
【発明が解決しようとする課題】
【０００４】
引力は磁気の光子が作る事の証明。
ボーア磁子の電子のラブが1秒間に作る磁気の光子のエネルギーの値と万有引力の電子のラブが1秒間に作るエネルギーの値は等しい事が証明されたら、引力は磁気の光子が作る事の証明になる。1000gの原子数は1000ｇでできる磁気の光子のエネルギー÷1電子のラブでできる磁気の光子のエネルギーで求められる。
１．    ボーア磁子と引力
２．    ボーア磁子から計算した電子のラブが1秒間に作る磁気の光子のエネルギーはいくらか。
３．    ボーア磁子から計算した電子のラブが1秒間に作る磁気の光子のエネルギーは1.165×10-31Jです。万有引力定数から計算した電子のラブが1秒間に作る磁気の光子のエネルギーは1.63×10−31Jです。はたしてどちらが正確であるか。
４．    ボーア磁子から計算した電子のラブが1秒間に作る磁気の光子のエネルギーは1.165×10-31Jです。これによって、1電子が１秒間に作る万有引力は1.165×10-31Jです。万有引力定数は、6.672×10−11N・m/Kg2です。１Kｇの中には何個の原子が存在するか。
５．    万有引力定数は、6.672×10−11N・m/Kg2です。万有引力定数はどのように説明できるか。
６．    核磁子は5.501×10-27J/Tです。
【課題を解決するための手段】
【０００５】
1．ボーア磁子は9.274×10-24J/Tです。万有引力定数は6.672×10−11N・m/Kg2＝6.672×10−11J/Kg2です。
2．ボーア磁子の1束の磁気の光子は電子のラブが1公転で作る磁気の光子で、7.96×107個の磁気の光子です。
ボーア磁子＝9.274×10-24J/T＝電子のラブが1秒間に作る磁気の光子のエネルギー×電子のラブが1公転で作る磁気の光子の数＝電子のラブが1秒間に作る磁気の光子のエネルギー×7.96×107個
電子のラブが1秒間に作る磁気の光子のエネルギー＝9.274×10-24J/T÷（7.96×107個）＝1.165×10-31J
3．万有引力定数から計算した電子のラブが1秒間に作る磁気の光子のエネルギーは1.63×10−31Jです。これは、5×1025個の電子のラブが作る万有引力から1個の電子のラブが1秒間に作る磁気の光子のエネルギーを求めている。
それに対し、ボーア磁子から計算した電子のラブが1秒間に作る磁気の光子のエネルギーは1.165×10-31Jです。これは、1個の電子のラブが作るボーア磁子から1個の電子のラブが1秒間に作る磁気の光子のエネルギーを求めている
4．１Kｇの物質が1秒間に作る磁気の光子のエネルギーは、（6.672×10−11）1/2J＝8.168×10−６Jです。1電子が１秒間に作る万有引力は1.165×10-31Jです。
それで、1電子が１秒間に作る万有引力×電子数＝1.165×10-31J×電子数＝ 8.168×10−６J
電子数＝ 8.168×10−６J÷（1.165×10-31J）＝7.011×1025（個）
5．１Kgの物質の中には7.011×1025個の原子が存在する。1電子のラブが1秒間に作る磁気の光子のエネルギーは1.165×10-31Jですから、１Kgの物質が1秒間に作る磁気の光子のエネルギーは、7.011×1025個×1.165×10-31J＝8.168×10-6J、です。１Kgの物質と１Kgの物質の間にできる引力は、（8.168×10-6）2J/Kg2＝6.672×10−11N・m/Kg2です。
6．核磁子は陽子のラブが1秒間に作る磁気の光子のエネルギーで、1束に4.34×104個の磁気の光子が存在する。
それで、陽子のラブが1秒間に作る磁気の光子のエネルギーは、5.501×10-27J/T÷（4.34×104個）＝1.268×10-31Jです。
【発明の効果】
【０００６】
1．それで、万有引力定数から計算した電子のラブが1秒間に作る磁気の光子のエネルギーは1.63×10−31Jです。（これは、アボガドロ数で算出した。）
2．ボーア磁子から計算した電子のラブが1秒間に作る磁気の光子のエネルギーは1.165×10-31Jです。
3． ボーア磁子から計算した電子のラブが1秒間に作る磁気の光子のエネルギーの方が正確です。
4．１Kｇの中には7.011×1025個の電子が存在する。１Kｇの中には7.011×1025個の原子が存在する。
5．図示する。
6．表に示す。
【図面の簡単な説明】
【０００７】
【図１】図１はボーア磁子＝9.274×10-24J/T＝電子のラブが1秒間に作る磁気の光子のエネルギー×電子のラブが1公転で作る磁気の光子の数＝電子のラブが1秒間に作る磁気の光子のエネルギー×7.96×107個、です。ボーア磁子の1束の磁気の光子は電子のラブが1公転で作る磁気の光子で、7.96×107個の磁気の光子です。ボーア磁子は電子のラブが1秒間に作る磁気の光子のエネルギー×電子のラブが1公転で作る磁気の光子の数、です。ボーア磁子＝9.274×10-24J/T＝電子のラブが1秒間に作る磁気の光子のエネルギー×電子のラブが1公転で作る磁気の光子の数＝電子のラブが1秒間に作る磁気の光子のエネルギー×7.96×107個電子のラブが1秒間に作る磁気の光子のエネルギー＝9.274×10-24J/T÷（7.96×107個）＝1.165×10-31Jそれで、電子のラブが1秒間に作る磁気の光子のエネルギーは1.165×10-31Jです。ボーア磁子から計算した電子のラブが1秒間に作る磁気の光子のエネルギーは1.165×10-31Jです。
【図２】図２は、万有引力定数は、6.672×10−11N・m/Kg2です。万有引力定数はどのように説明できるか。万有引力定数は、6.672×10−11N・m/Kg2＝（8.168×10-6）2J/Kg2です。これは１Kgの物質と１Kgの物質の間にできる引力です。1000ｇの電子のラブ数＝1000ｇでできる磁気の光子のエネルギー÷電子のラブが1秒間に作る磁気の光子のエネルギー＝8.168×10-6J÷（1.165×10-31J）＝7.011×1025（個）１Kgの物質の中には7.011×1025個の原子が存在する。1電子のラブが1秒間に作る磁気の光子のエネルギーは1.165×10-31Jですから、１Kgの物質が1秒間に作る磁気の光子のエネルギーは、7.011×1025個×1.165×10-31J＝8.168×10-6J、です。１Kgの物質と１Kgの物質の間にできる引力は、（8.168×10-6）2J/Kg2＝6.672×10−11N・m/Kg2です。
【発明を実施するための形態】
【０００８】
１．    ボーア磁子と引力
ボーア磁子は9.274×10-24J/Tです。
ボーア磁子の1束の磁気の光子は電子のラブが1公転で作る磁気の光子で、7.96×107個の磁気の光子です。
ボーア磁子は電子のラブが1秒間に作る磁気の光子の軌道エネルギー×電子のラブが1公転で作る磁気の光子の数、です。
万有引力定数は、6.672×10−11N・m/Kg2です。
万有引力定数は、6.672×10−11J/Kg2です。
万有引力定数は、１Kgの物質が1秒間に作る磁気の光子のエネルギーです。
私は、特願2005−92703に次のように記した。
（万有引力定数は6.672×10−11N・mm/Kg2ですから、1000ｇでできる万有引力は（6.672×10−11）1/2J＝8.16×10−６Jです。1000ｇには、1000÷12×6.022×1023個＝5×1025個の電子があります。（これは、アボガドロ数で算出した。）
1個の電子でできる万有引力は、8.16×10−６J÷（5×1025個）＝1.63×10−31Jです。）
それで、万有引力定数から計算した電子のラブが1秒間に作る磁気の光子のエネルギーは1.63×10−31Jです。
万有引力定数は6.672×10−11N・mm/Kg2です。と記したが、これは間違いです。
万有引力定数は6.672×10−11N・m/Kg2＝6.672×10−11J/Kg2です。
２．    ボーア磁子から計算した電子のラブが1秒間に作る磁気の光子のエネルギーはいくらか。
ボーア磁子の1束の磁気の光子は電子のラブが1公転で作る磁気の光子で、7.96×107個の磁気の光子です。
ボーア磁子は電子のラブが1秒間に作る磁気の光子のエネルギー×電子のラブが1公転で作る磁気の光子の数、です。
ボーア磁子＝9.274×10-24J/T＝電子のラブが1秒間に作る磁気の光子のエネルギー×電子のラブが1公転で作る磁気の光子の数＝電子のラブが1秒間に作る磁気の光子のエネルギー×7.96×107個
電子のラブが1秒間に作る磁気の光子のエネルギー＝9.274×10-24J/T÷（7.96×107個）＝1.165×10-31J
それで、電子のラブが1秒間に作る磁気の光子のエネルギーは1.165×10-31Jです。
ボーア磁子から計算した電子のラブが1秒間に作る磁気の光子のエネルギーは1.165×10-31Jです。
３．    ボーア磁子から計算した電子のラブが1秒間に作る磁気の光子のエネルギーは1.165×10-31Jです。万有引力定数から計算した電子のラブが1秒間に作る磁気の光子のエネルギーは1.63×10−31Jです。はたしてどちらが正確であるか。
万有引力定数から計算した電子のラブが1秒間に作る磁気の光子のエネルギーは1.63×10−31Jです。これは、1000ｇには、アボガドロ数で計算すると、1000÷12×6.022×1023個＝5×1025個の電子があります。5×1025個の電子のラブが作る万有引力は（6.672×10−11）1/2J＝8.16×10−６Jです。それで、1個の電子のラブが作る万有引力は8.16×10−６J÷（5×1025個）＝1.63×10−31J、です。このように、5×1025個の電子のラブが作る万有引力から1個の電子のラブが1秒間に作る磁気の光子のエネルギーを求めている。
それに対し、ボーア磁子から計算した電子のラブが1秒間に作る磁気の光子のエネルギーは1.165×10-31Jです。これは、1個の電子のラブが作るボーア磁子から1個の電子のラブが1秒間に作る磁気の光子のエネルギーを求めている。
それで、ボーア磁子から計算した電子のラブが1秒間に作る磁気の光子のエネルギーの方が正確です。
４．    ボーア磁子から計算した電子のラブが1秒間に作る磁気の光子のエネルギーは1.165×10-31Jです。これによって、1電子が１秒間に作る万有引力は1.165×10-31Jです。万有引力定数は、6.672×10−11N・m/Kg2です。１Kｇの中には何個の原子が存在するか。
１Kｇの物質が1秒間に作る磁気の光子のエネルギーは、（6.672×10−11）1/2J＝8.168×10−６Jです。1電子が１秒間に作る万有引力は1.165×10-31Jです。
それで、1電子が１秒間に作る万有引力×電子数＝1.165×10-31J×電子数＝ 8.168×10−６J
電子数＝ 8.168×10−６J÷（1.165×10-31J）＝7.011×1025（個）
１Kｇの中には7.011×1025個の電子が存在する。１Kｇの中には7.011×1025個の原子が存在する。
５．    万有引力定数は、6.672×10−11N・m/Kg2です。万有引力定数はどのように説明できるか。
万有引力定数は、6.672×10−11N・m/Kg2です。これは１Kgの物質と１Kgの物質の間にできる引力です。１Kgの物質の中には7.011×1025個の原子が存在する。1電子のラブが1秒間に作る磁気の光子のエネルギーは1.165×10-31Jですから、１Kgの物質が1秒間に作る磁気の光子のエネルギーは、7.011×1025個×1.165×10-31J＝8.168×10-6J、です。１Kgの物質と１Kgの物質の間にできる引力は、（8.168×10-6）2J/Kg2＝6.672×10−11N・m/Kg2です。
この事を表に示す。
表1
2019187162.tif 000003
表2
2019187162.tif 000004
この表により理解できる事。
1．万有引力を作っているのは、ボーア磁子を作っている磁気の光子のエネルギーである事が理解できる。
1．電子のラブが1秒間に作る磁気の光子のエネルギー1.165×10-31Jがボーア磁子を作り、万有引力を作っている。
1．１Kｇの中の原子数は7.011×1025個です。
６．    核磁子は5.501×10-27J/Tです。
核磁子は陽子のラブが1秒間に作る磁気の光子のエネルギーで、1束に4.34×104個の磁気の光子が存在する。
それで、陽子のラブが1秒間に作る磁気の光子のエネルギーは、5.501×10-27J/T÷（4.34×104個）＝1.268×10-31Jです。
この事を表に示す。
表3
2019187162.tif 000005
【産業上の利用可能性】
【０００９】
万有引力とボーア磁子に係っている磁気の光子の事を知ることは産業の向上に役立つ。
【符号の説明】
【００１０】
１    ボーア磁子＝9.274×10-24J/T＝電子のラブが1秒間に作る磁気の光子のエネルギー×電子のラブが1公転で作る磁気の光子の数＝電子のラブが1秒間に作る磁気の光子のエネルギー×7.96×107個＝1.165×10-31J×7.96×107個＝9.274×10-24J/T
２    １束の磁気の光子は7.96×107個
３    電子のラブが1秒間に作る磁気の光子のエネルギーは1.165×10-31J
４    万有引力定数は、6.672×10−11N・m/Kg2
５    １Kgの物質の原子数は7.011×1025個
６    １Kgの物質が1秒間に作る磁気の光子のエネルギーは、7.011×1025個×1.165×10-31J＝8.168×10-6J
７    １Kgの物質と１Kgの物質の間にできる引力は、（8.168×10-6）2J/Kg2＝6.672×10−11N・m/Kg2
【図１】
2019187162.tif 000009
【図２】
2019187162.tif 000010